(57)【要約】【課題】手元握りパイプの握り性、操作力伝達性を改善し、操作性を向上すること。【解決手段】電動送風機を内蔵する本体と、一端が前記本体に接続されるホースと、前記ホースの他端に設けられた通気管と前記通気管より上方に分岐された把手部５からなる手元握りパイプ６と、前記手元握りパイプ６に接続される吸引管と、前記吸引管の一端に接続される床用吸込み具とを備え、前記把手部５は通気管から延びる延設部５ａ、前記延設部５ａから吸引管側に延びる把持部５ｂから構成され、前記把持部５ｂが吸引管の略延長線状に配置されるように、前記延設部５ａから屈曲もしくは湾曲させ形成した電気掃除機とした。これにより、掃除時に把持部をしっかりと握らなくても手が離れることを防止でき、また通気管のホース接続部のみを接続することで、小さく軽い手元握りパイプを提供できる。【選択図】図２
2007006920.tif 000002
【特許請求の範囲】
【請求項１】
電動送風機を内蔵する本体と、一端が前記本体に接続されるホースと、前記ホースの他端に設けられた通気管と前記通気管より上方に分岐された把手部からなる手元握りパイプと、前記手元握りパイプに接続される吸引管と、前記吸引管の一端に接続される床用吸込み具とを備え、前記把手部は通気管から延びる延設部、前記延設部から吸引管側に延びる把持部から構成され、前記把持部が吸引管の略延長線状に配置されるように、前記延設部から屈曲もしくは湾曲させ形成した電気掃除機。
【請求項２】
把持部分がホース接続位置よりも前方に位置するように構成した請求項１に記載の電気掃除機。
【請求項３】
把持部を軟質材で覆った請求項１または２に記載の電気掃除機。
【請求項４】
手元握りパイプに抗菌処理を行った請求項１〜３のいずれか１項に記載の電気掃除機。
【発明の詳細な説明】
【技術分野】
【０００１】
本発明は、手元握りパイプを備えた電気掃除機に関するものである。
【背景技術】
【０００２】
従来のこの種の電気掃除機として、手元握りパイプは通気管の吸引管側に延接部がありそこからホース側に向かって湾曲し把持部を構成していた（例えば、特許文献１参照）。
【０００３】
また、別形態として、手元握りパイプは通気管の吸引管側に延接部がありそこからホース側に向かって湾曲し把持部を構成し、さらに通気管ホース側でも通気管に接続されていた（例えば、特許文献２参照）。
【特許文献１】特開平１１−３０９０９８号公報
【特許文献２】特開平１１−３０９０９５号公報
【発明の開示】
【発明が解決しようとする課題】
【０００４】
しかしながら上記従来の手元握りパイプでは、把手部ホース側が開放されているために、実際の掃除動作において、特に引く動作の際には把持部をしっかりと握っていないと把持部から手が離れてしまう可能性があり、使用者の負担となっていた。
【０００５】
また、別形態においては、通気管の吸引管側、ホース側双方で接続されているため、手が離れてしまう可能性は低いが、手元握りパイプが大きく、重くなってしまい掃除作業性を悪化させていた。
【０００６】
本発明は上記問題を解消して、小さく軽い手元握りパイプを提供し掃除作業性を向上させることを目的とする。
【課題を解決するための手段】
【０００７】
上記目的を達成するために本発明は、電動送風機を内蔵する本体と、一端が前記本体に接続されるホースと、前記ホースの他端に設けられた通気管と前記通気管より上方に分岐された把手部からなる手元握りパイプと、前記手元握りパイプに接続される吸引管と、前記吸引管の一端に接続される床用吸込み具とを備え、前記把手部は通気管から延びる延設部、前記延設部から吸引管側に延びる把持部から構成され、前記把持部が吸引管の略延長線状に配置されるように、前記延設部から屈曲もしくは湾曲させ形成したもので、把手部部を通気管ホース側より形成し、把持部を吸引管の略延長線上に配置することで、実際の掃除動作において、押す場合には掌で押し、引く場合には指の腹で引っ掛けて操作することができ、掃除時に把持部をしっかりと握らなくても手が離れることを防止できる、また、通気管のホース接続部のみを接続することで、小さく軽い手元握りパイプを提供できるものである。
【発明の効果】
【０００８】
本発明によれば、小さく軽い手元握りパイプを提供でき、掃除作業性を向上できる。
【発明を実施するための最良の形態】
【０００９】
第１の発明は、電動送風機を内蔵する本体と、一端が前記本体に接続されるホースと、前記ホースの他端に設けられた通気管と前記通気管より上方に分岐された把手部からなる手元握りパイプと、前記手元握りパイプに接続される吸引管と、前記吸引管の一端に接続される床用吸込み具とを備え、前記把手部は通気管から延びる延設部、前記延設部から吸引管側に延びる把持部から構成され、前記把持部が吸引管の略延長線状に配置されるように、前記延設部から屈曲もしくは湾曲させ形成したもので、把手部部を通気管ホース側より形成し、把持部を吸引管の略延長線上に配置することで、実際の掃除動作において、押す場合には掌で押し、引く場合には指の腹で引っ掛けて操作することができ、掃除時に把持部をしっかりと握らなくても手が離れることを防止できる、また、通気管のホース接続部のみを接続することで、小さく軽い手元握りパイプを提供できるものである。
【００１０】
第２の発明は、把持部分がホース接続位置よりも前方に位置するように構成したもので、把持部よりも後方にホースの重みを受けることで、床用吸込み具、吸引管を持ち上げやすくするものである。
【００１１】
第３の発明は、把持部を軟質材で覆ったもので、使用時に手が痛くなることを防止するものである。
【００１２】
第４の発明は、手元握りパイプに抗菌処理を行ったもので、清潔な手元握りパイプを提供するものである。
【００１３】
以下、本発明の実施の形態について、図面を参照しながら説明する。なお、この実施の形態によって本発明が限定されるものではない。
【００１４】
（実施の形態１）
以下、本発明の第１の実施の形態を図１〜２を用いて説明する。
【００１５】
図１は、本実施の形態における電気掃除機の全体斜視図、図２は手元握りパイプの側面図である。
【００１６】
図１において１は掃除機本体で電動送風機（図示せず）、集塵手段（図示せず）を内蔵し、掃除機本体１の前部には、ホース２の一端に設けた接続パイプ３が着脱自在に接続される吸入口４が設けられている。
【００１７】
ホース２の他端には、掃除の際に握る把手部５を備えた手元握りパイプ６が設けられている。
【００１８】
７は伸縮自在或いは継ぎ自在の吸引管で、下流側端部が前記手元握りパイプに着脱自在に接続され、他端は、床用吸込み具８に着脱自在で接続される。
【００１９】
図２において、把手部５は、通気管６ａから延びる延設部５ａと延設部から吸引管７側に延びる把持部５ｂとから構成され、前期把持部５ｂが、前記吸引管７の延長線上で、ホース接続部６ｂよりも前方、なおかつ通気管６ａとの距離が約３０ｍｍに配置される。前記把持部５ｂは、吸引管７の延長線上を中心に約６０ｍｍの直線部を設け、下側には、指引掛け用の突起９を有している、断面形状は幅が約２４ｍｍ、高さが３０ｍｍに設定され、上面にはフラット部１０が設けられており、角Ｒは半径５ｍｍ以上に設定されている。
【００２０】
前記手元握りパイプ６には抗菌処理を行うものである。
【００２１】
上記構成による作用は以下の通りである。把手部５を通気管６ａホース側より形成し、把持部５ｂを吸引管７の略延長線上に配置することで、実際の掃除動作において、押す場合には掌で押し、引く場合には指の腹で引っ掛けて操作することができ、掃除時に把持部５ｂをしっかりと握らなくても手が離れることを防止できる、また、通気管６ａのホース接続部のみを接続することで、小さく軽い手元握りパイプを提供できる。
【００２２】
吸引管７の延長線上を中心に把持部５ｂに直線部を約６０ｍｍに設定し、直線部の大きさを確保することで、押し引き時に力を伝えやすくするできる。
【００２３】
把手部５ｂ下側に使用時に指をかけられる突起９を設けることで、使用時の手の位置を力の伝達に適した位置に導くものである。
【００２４】
把持部５ｂがホース接続部６ｂよりも前方に位置するように構成したことで、把持部５ｂよりも後方にホース２の重みを受けることで、床用吸込み具８、吸引管７を持ち上げやすくする。
【００２５】
把持部５ｂの幅を２４ｍｍ、高さを３０ｍｍ、角Ｒを半径５ｍｍ以上に設定することで握り方向を無意識に最適位置に導き、なおかつ最適な握り形状を提供するものである。
【００２６】
また、把持部５ｂの上面にフラット部１０を設けることで、フラット部１０に力をかけることで無駄なく、吸気管７、床用吸込み具８に力を伝達し、使用性を高めるものである。
【００２７】
把手部５と通期間６ａとの距離を約３０ｍｍに設定することで、握りやすさを確保するものである。抗菌処理を施すことで、清潔に掃除を行える。
【００２８】
（実施の形態２）
図３は本発明の第２の実施の形態における電気掃除機の手元握りパイプの側面図である。
【００２９】
本実施の形態は、図３に示すように、手元握りパイプ６の把持部５ｂを軟質材１１で覆い、下面を実際の掃除で握った際に指に沿うような波型に形成し、通気管６ａとの開放距離を約１０ｍｍに構成したものである。
【００３０】
通気管６ａは、曲がり角度約３５度の曲がり管より構成されている。
【００３１】
上記構成によると、把持部５ｂを軟質材１１で覆い、波型を設けることで、使用時に握りやすく、軽く握っても手がずれずに掃除できる。
【００３２】
通気管との開放距離を約１０ｍｍとすることで、万が一手がずれた場合でも、把手部５から外れてしまうのを防止し、落下等を防ぐものである。
【００３３】
通気管６ａを、３５度の曲がり管から構成することで、曲がり部分での吸込み力の損失と操作性との良好なバランスを提供するものである。
【００３４】
（実施の形態３）
図４は本発明の第３の実施の形態における電気掃除機の手元握りパイプの側面図である。
【００３５】
本実施の形態は、図４に示すように、手元握りパイプ６の把手部５を前方を細く、後方を太く形成し、把持部５ｂ表面に微小なを設け、把持部５ｂの前後は把持部５ｂよりも太く構成したもので、通気管６ａより把手部５との開放距離を約１０ｍｍとする突起９を設けたものである。
【００３６】
上記構成によると、把手部５の前方を細く、後方を太く形成し、把持部５ｂ表面に微小なを設け、把持部５ｂの前後は把持部５ｂよりも太く構成することで、最適な握り位置に導くとともに、握った際の親指側は細くなっており握りやすく、小指側は太くなっており押しやすくなり、使用時に手がずれる事も防止できる。
【００３７】
通気管６ａから開放距離を１０ｍｍにする突起を設けることで、床用吸込み具、吸引管を持ち上げて、上方を掃除する場合に、手が離れてしまうのを防止できる。
【００３８】
（実施の形態４）
図５は本発明の第４の実施の形態における電気掃除機の手元握りパイプの側面図である。
【００３９】
本実施の形態は図５に示すように、手元握りパイプ６の把持部５ｂ前方に、掃除機本体１制御用のコントロールスイッチ１２を設けたもので、スイッチ１２のボタン１３は把持部５ｂを握った状態で操作可能な位置に配置したもので、把手部５前方吸気管７側にも通気管６ａとの連結部１４を設けたものである。
【００４０】
上記構成によると、把持部５ｂを握ったままで本体１の制御が可能で、握った状態で操作ができるため、使用性を向上できる。
【００４１】
通気管６ａと把手部５に連結部１４を設けることにより、床用吸込み具８、吸引管７を持ち上げて、上方を掃除する場合に、手が離れてしまうのを防止するとともに、把手部５の強度を高めることができる。
【産業上の利用可能性】
【００４２】
以上のように、本発明にかかる電気掃除機は、把手部部を通気管ホース側より形成し、把持部を吸引管の略延長線上に配置することで、実際の掃除動作において、押す場合には掌で押し、引く場合には指の腹で引っ掛けて操作することができ、掃除時に把持部をしっかりと握らなくても手が離れることを防止できる操作性の高い掃除機を提供できるものである。
【図面の簡単な説明】
【００４３】
【図１】本発明の実施の形態１を示す電気掃除機の斜視図
【図２】同、電気掃除機の手元握りパイプの側面図
【図３】本発明の実施の形態２を示す電気掃除機の手元握りパイプの側面図
【図４】本発明の実施の形態３を示す電気掃除機の手元握りパイプの側面図
【図５】本発明の実施の形態４を示す電気掃除機の手元握りパイプの側面図
【符号の説明】
【００４４】
１    本体
２    ホース
３    接続パイプ
４    吸入口
５    把手部
５ａ  延設部
５ｂ  把持部
６    手元握りパイプ
６ａ  通気管
６ｂ  接続部
７    吸引管
８    床用吸込み具
９    突起
１０  フラット部
１１  軟質材
１２  スイッチ
１３  ボタン
１４  連結部
【図１】
2007006920.tif 000003
【図２】
2007006920.tif 000004
【図３】
2007006920.tif 000005
【図４】
2007006920.tif 000006
【図５】
2007006920.tif 000007